(57)【要約】【課題】  画面１１にページ画像２２ａの表示領域を十分に確保した状態で、ユーザが所望のページ２２ｂ〜２２ｄを容易に探し出すことができ、また、所望のページへの表示切替えを容易に行うことができる操作環境を実現する。【解決手段】  複数ページ２２ａ〜２２ｄを含む文書画像を先頭ページ２２ａに他のページ２２ｂ〜２２ｄの縁部をはみ出させて画面１１に表示し、カーソル判定手段１６がユーザ操作により画面１１上のカーソル３５の位置を判定し、表示処理手段１７がカーソル３５が位置する他のページ３２ｂのサムネイル画像３５をカーソル３５の近傍に表示する。そして、サムネイル画像３５を画面１１に表示した状態でページを切替えるための操作が入力されると、サムネイル画像３５に対応するページ２２ｂの画像を先頭ページに切替えて画面１１に表示する。【選択図】  図４
2006085424.tif 000002
【特許請求の範囲】
【請求項１】
複数のページを含む文書画像を、先頭のページに他のページの縁部をはみ出させた重ね表示することで、画面に複数ページを表現して表示する文書処理装置において、
ユーザからの操作入力を受け付ける操作手段と、
前記操作手段からのユーザ操作により画面上を移動するカーソルの位置を判定するカーソル判定手段と、
前記カーソルが画面に表示されている前記他のページの縁部に位置することに応じて、当該他のページのサムネイル画像を当該画面に表示する表示処理手段と、を備えたことを特徴とする文書処理装置。
【請求項２】
請求項１に記載の文書処理装置において、
前記表示処理手段は、サムネイル画像をカーソルの近傍に表示することを特徴とする文書処理装置。
【請求項３】
請求項１又は請求項２に記載の文書処理装置において、
前記表示処理手段は、サムネイル画像を画面に表示した状態で前記操作手段からページを切替えるための操作が入力されたことに応じて、当該サムネイル画像に対応するページの画像を前記先頭ページに切替えて画面に表示することを特徴とする文書処理装置。
【請求項４】
請求項３に記載の文書処理装置において、
前記カーソルは、前記操作手段をなすマウスの移動操作に応じて画面上を移動し、
前記ページを切替えるための操作は、当該マウスのクリック操作で入力されることを特徴とする文書処理装置。
【請求項５】
複数のページを含む文書画像を先頭のページに他のページの縁部をはみ出させた重ね表示することで画面に複数ページを表現して表示する文書処理装置を、コンピュータに実行させることで構成するプログラムにおいて、
ユーザ操作により画面上を移動するカーソルの位置を判定する機能と、
前記カーソルが画面に表示されている前記他のページの縁部に位置することに応じて、当該他のページのサムネイル画像を当該画面に表示する機能と、をコンピュータに実現することを特徴とする文書処理プログラム。
【請求項６】
請求項５に記載の文書処理プログラムにおいて、
サムネイル画像を画面に表示した状態でページを切替えるためのユーザ操作に応じて、当該サムネイル画像に対応するページの画像を前記先頭ページに切替えて画面に表示する機能をコンピュータに実現することを特徴とする文書処理プログラム。
【請求項７】
複数のページを含む文書画像を先頭のページに他のページの縁部をはみ出させた重ね表示することで画面に複数ページを表現して表示する文書処理装置が行う文書処理方法であって、
前記文書処理装置のカーソル判定手段が、ユーザ操作により画面上を移動するカーソルの位置を判定し、
前記文書処理装置の表示処理手段が、カーソルが画面に表示されている前記他のページの縁部に位置することに応じて、当該他のページのサムネイル画像を当該画面に表示することを特徴とする文書処理方法。
【請求項８】
請求項７に記載の文書処理方法において、
前記表示処理手段が、更に、サムネイル画像を画面に表示した状態でページを切替えるためのユーザ操作が入力されたことに応じて、当該サムネイル画像に対応するページの画像を前記先頭ページに切替えて画面に表示することを特徴とする文書処理方法。
【発明の詳細な説明】
【技術分野】
【０００１】
本発明は、文書中の所望のページを容易に画面に表示させることができる文書処理装置に関し、特に、サムネイル画像を利用したページ切替え表示に関する。
【背景技術】
【０００２】
電子データに基づいて画面に表示される文書は、編集を容易に行うことができる、複写を容易に行うことができる、多量の文書をコンパクトに扱うことができる等といった種々な利点がある反面、紙媒体に印刷された文書に較べて、文書が幾枚程のページから構成されているかをユーザが直感的に把握し難く、また、文書に含まれている所望のページを簡単に探して閲覧することが難しいという欠点がある。
このため、文書データに基づいて画面に文書画像を表示する文書処理装置では、当該文書が複数のページを含む場合、文書が複数ページを含んでいることをユーザに認知させることや、ユーザが所望のページ画像を容易に画面表示できるようにすることが、画面上で文書を扱う操作性を高めるために重要な課題である。
【０００３】
このような事情に対して、画面上での文書の操作性を高めるために種々な技術が開発されており、図６、図７に示す文書処理装置が知られている（富士ゼロックス社製ＤｏｃｕＷｏｒｋｓ５．０参照。）。
図６に示す文書処理装置では、複数ページからなる文書２の画像を画面１に表示する場合に、当該文書の先頭となるページ２ａに他のページ２ｂ、２ｃ、２ｄの縁部をはみ出させた重ね表示することで、当該文書２が複数のページからなることを表現している。そして、カーソル３を２枚目のページ２ｂ上に位置させると当該ページ番号「２」がカーソルの近傍に表示するといったように、ユーザ操作で移動するカーソル３を所望のページ上に移動させることで当該ページ番号４を画面１上で目視確認でき、ユーザがマウスをクリック操作することで当該ページを先頭ページにした状態に表示切替えできるようにしている。
【０００４】
図７に示す文書処理装置では、画面１に、上記のように複数ページ２ａ〜２ｄからなる文書２の画像を重ね表示する領域１ａと、これら各ページ２ａ〜２ｄのサムネイル画像（縮小画像）５ａ〜５ｄを表示する領域１ｂとを設け、これらサムネイル画像５ａ〜５ｄにより、文書２に含まれる各ページ２ａ〜２ｄの記述内容をユーザが把握できるようにしている。そして、ユーザがカーソル３を所望のサムネイル画像上に移動させてクリック操作することで、領域１ａの表示を当該ページを先頭ページにした状態に表示切替えできるようにしている。
【０００５】
なお、サムネイル画像を利用する情報閲覧の利便性を高める発明として、ＷＷＷ環境でＷｅｂページから取得した画像データをサムネイル画像に加工して、当該サムネイル画像を表示する発明が提案されている（特許文献１参照。）。
【特許文献１】特開２００４―７０８０９号公報
【発明の開示】
【発明が解決しようとする課題】
【０００６】
文書処理装置により、複数のページを含む文書を画面上で扱う操作性を高めるために種々な改良がなされているが、更なる操作性の向上が望まれている。
【０００７】
例えば、図６に示す例では、文書２が複数のページ２ａ〜２ｄを含んでいることを容易に把握することができ、また、所望のページのページ番号４を確認しながら当該ページへの表示切替えを容易に行うことができるが、ユーザが所望のページのページ番号を予め知っていないときには、各ページを順次表示切替して所望のページを探し出すといった煩雑な操作を行わなければならない場合があった。
また、例えば、図７に示す例では、サムネイル画像５ａ〜５ｄの一覧表示により、ユーザは所望のページを容易に探し出して当該ページへの表示切替を行うことができるが、限られた大きさの画面１にサムネイル画像一覧表示領域１ｂを設けなければならないため、閲覧や編集等の操作をするためにページを表示する領域１ａが狭くなって、実際のページに対する操作性が損なわれてしまう場合があった。
【０００８】
本発明は、上記従来の事情に鑑みなされたもので、文書ページの表示領域を画面上に十分確保することができ、且つ、ユーザが所望のページを容易に探し出すことができるように文書を画面表示することを目的としている。
更に、本発明は、ユーザが探し出した所望のページに容易に表示切替できるように文書を画面表示することを目的としている。
【課題を解決するための手段】
【０００９】
本発明は、複数のページを含む文書画像を先頭のページに他のページの縁部をはみ出させた重ね表示することで画面に複数ページを表現して表示する文書処理装置に関し、操作手段でユーザからの操作入力を受け付けると、カーソル判定手段が操作手段からのユーザ操作により画面上を移動するカーソルの位置を判定し、表示処理手段がカーソルが画面に表示されている他のページの縁部に位置することに応じて当該他のページのサムネイル画像を当該画面に表示する。
なお、本発明は、このような文書処理装置をコンピュータにより実現するプログラムや、このような文書処理装置で実施することができる文書処理方法としても実現される。
【００１０】
ここで、先頭のページは文書中の第１ページである他、既にページ捲りされた第２ページ以降のページであってもよく、例えば、５ページの文書について第３、第４、第５、第１、第２といったページ順で重ねられた状態では先頭のページは第３ページである。
また、サムネイル画像は文書処理装置が必要に応じて生成して表示するようにしてもよいが、予め生成しておいて必要に応じて取得して表示するようにしてもよい。
【００１１】
したがって、ページの重ね表示により画面表示された文書が複数ページを含んでいることを一目で把握することができるとともに、カーソル指定されたページのサムネイル画像により当該ページ内容を把握して所望のページを容易に探し出すことができる。しかも、カーソル指定されたページのサムネイル画像を表示しているので、サムネイル画像の表示のために大きな画面領域を使用しないため、画面上に十分な大きさでページ画像の表示領域を確保することができる。
【００１２】
ここで、本発明において、サムネイル画像を表示する位置を画面上のいずれの位置に設定してもよいが、サムネイル画像をカーソルの近傍に表示するにが好ましく、これによって、カーソルを操作してページを選択しようとするユーザの視線を動かすことなくページのサムネイル画像を把握することができるので、操作性が更に向上する。
【００１３】
また、本発明では、更に、表示処理手段が、サムネイル画像を画面に表示した状態で操作手段からページを切替えるための操作が入力されたことに応じて、当該サムネイル画像に対応するページの画像を先頭ページに切替えて画面に表示するようにしてもよく、これによって、サムネイル画像により探し出した所望のページを容易に画面表示させることができる。
そして、このような表示切替えは、例えばキーボードの確定キーを押下するといった種々な操作方法で実現することができるが、カーソルを移動させるマウス（操作手段）でのクリック操作で実現するようにするのが好ましく、これによって、マウス操作だけで所望のページを探し出して当該ページの表示に切り替えることができる。
【発明の効果】
【００１４】
本発明によると、文書画像を先頭のページに他のページの縁部をはみ出させた重ね表示することで画面に複数ページを表現して表示し、カーソルが画面に表示されている他のページの縁部に位置することに応じて当該他のページのサムネイル画像を画面に表示するようにしたため、画面にページ画像の表示領域を十分に確保した状態で、ユーザが所望のページを容易に探し出すことができる操作環境を実現し、延いては、所望のページへの表示切替えを容易に行うことができる操作環境を実現することができる。
【発明を実施するための最良の形態】
【００１５】
図１には本発明の一実施例に係る文書処理装置の構成を示してあり、以下、本発明を実施例に基づいて具体的に説明する。
本例の文書処理装置１０は、文書画像を表示する液晶パネル等の画面１１、ユーザからの操作入力を受け付けるマウスやキーボード等の操作手段１２、文書ファイルデータを記憶保持するファイルメモリ１３、ファイルメモリ１３に保持された文書ファイルデータの読み出し処理を行う読出手段１４、文書ファイルデータに含まれるページデータに基づいて縮小処理を行うことで当該ページのサムネイル画像を生成するサムネイル生成手段１５、操作手段１２からのユーザ操作により画面１１上を移動するカーソルの位置を判定するカーソル判定手段１６、カーソルが位置するページのサムネイル画像の表示処理及びサムネイル画像に対応するページ画像の表示切替え処理を行う表示処理手段１７を備えている。
【００１６】
ここで、上記の各機能手段はそれぞれハードウエアで構成するようにしてもよいが、本例では、文書処理装置１０を構成しているコンピュータに本発明に係るプログラムを実行させることで、画面１１上を移動するカーソルの位置を判定するカーソル判定手段１６、及び、サムネイル画像の表示処理及びサムネイル画像に対応するページ画像の表示切替処理を行う表示処理手段１７を構成している。
【００１７】
ファイルメモリ１３に記憶保持される文書ファイルデータは、例えば図２に示すように、各文書を識別するためのファイルＩＤ２１や当該文書中に含まれるページ数２２等の属性情報に、文書中の各ページを識別するためのページＩＤ２３及び当該ページの実データであるページデータ２４を対応付けた構成となっている。
なお、本例では、サムネイル生成手段１５がページデータ２４に基づいて当該ページのサムネイル画像を生成するようにしているが、各ページデータ２４にそのサムネイル画像データを付属させておき、当該サムネイル画像データを取得してサムネイル画像を画面１１に表示するようにしてもよい。
【００１８】
本例の文書処理装置１０では、図３に示すような処理を行うことで、図４に示すようにサムネイル画像３５の画面１１への表示、及び、図５に示すように対応ページ３２ｂへの表示切替えを行う。
ユーザが操作手段１２から入力した文書ファイルの指定を受け付けると（ステップＳ１）、読出手段１４がファイルメモリ１３から該当するファイルＩＤ２１の文書ファイルデータを読み出す（ステップＳ２）。
【００１９】
次いで、表示処理手段１７が、上記読み出された文書ファイルデータに基づいて、画面１１に図４に示すように、当該文書３２を先頭ページ３２ａに他のページ３２ｂ〜３２ｄの縁部をはみ出させた重ね表示する（ステップＳ３）。
なお、本例では、デフォルト状態では先頭ページ３２ａは当該文書中の第１ページとし、それに続いて第２ページ３２ｂ、第３ページ３２ｃ、第４ページ３２ｄが順次下に重ねられる。
【００２０】
そして、ユーザが操作手段１２のマウスを操作して画面１１上を移動させるカーソル３３の位置がカーソル判定手段１６により検出され（ステップＳ４）、当該カーソル３３がいずれかの他のページ３２ｂ〜３２ｄ上に位置するときには（ステップＳ５）、当該カーソル３３が位置するページのページデータ２４に基づいて、サムネイル生成手段１５がサムネイル画像３５を生成して（ステップＳ６）、図４に示すように、表示処理手段１７が生成されたサムネイル画像３５を画面１１のカーソル３３の近傍に表示する（ステップＳ７）。
【００２１】
図４に示す例では、カーソル３３を第２ページ３２ｂの縁部上に位置させることにより、当該ページ３２ｂの画像を縮小したサムネイル画像３５がカーソル３３の近傍に画面表示されている。
なお、図４に示す例では、図６に示した例のように、カーソル３３の近傍にカーソルが位置するページ３２ｂのページ番号「２」３４も表示しているが、本発明ではページ番号の表示は必須ではない。
【００２２】
そして、ユーザがカーソル３３の位置を移動させると、当該移動先のページのサムネイル画像が上記と同様にしてカーソル３３の近傍に画面表示されるが、カーソル３３がいずれかのページ３２ｂ〜３２ｄ上に位置する状態で、ユーザが操作手段１２のマウスボタンをクリック操作して切替え指示を入力すると（ステップＳ８）、図５に示すように、表示処理手段１７が当該カーソル３３の位置する他のページ（すなわち、サムネイル表示されているページ）を先頭ページとして文書３２の画面表示を切替える（ステップＳ９）。
【００２３】
図５に示す例では、カーソル３３が位置することでサムネイル画像３５が表示されていた第２ページ３２ｂを先頭ページとして、画面１１上の文書３２の重ね表示が切替えられる。
したがって、ユーザは、カーソルを移動させることで、先頭ページ３２ａの下に隠れている他のページ３２ｂ〜３２ｄの内容をサムネイル画像により把握することができ、そして、マウスボタンを操作することで、サムネイル画像により探し出した所望のページを先頭ページとして画面１１に表示させることができる。
なお、本例では、このように表示切替えを行うと、先頭ページであった第１ページ３２ａが最後尾に重ねられて画面表示されるが、例えば、文書中のページの並びを維持して、カーソル指定されたページだけを抜き出して先頭ページとして表示するといったように、表示切替えのページの並びは種々設定することができる。
【００２４】
上記の例では、先頭ページの下に重ねられた他のページについてサムネイル画像を表示するようにしたが、先頭ページについてもカーソルが位置することに基づいてサムネイル画像を表示するようにしてもよい。
また、上記の例では、サムネイル画像をカーソルの近傍に表示するようにしたが、例えば、文書画像３２の表示に邪魔にならない画面１１の隅部に表示するようにしてもよい。
また、上記の例では、表示の必要があるときにサムネイル画像を生成するようにしたが、例えば、表示対象の文書が指定されたときに、当該文書中の全てのページのサムネイル画像を生成して用意し、表示の必要に応じてサムネイル画像を取得するようにしてもよい。
【図面の簡単な説明】
【００２５】
【図１】本発明の一実施例に係る文書処理装置の構成図である。
【図２】本発明の一実施例に係る文書ファイルデータの構成図である。
【図３】本発明の一実施例に係る表示処理を説明する図である。
【図４】本発明の一実施例に係るサムネイル画像の画面表示例を示す図である。
【図５】本発明の一実施例に係るページを切替えた画面表示例を示す図である。
【図６】従来の文書処理を説明する画面表示例を示す図である。
【図７】従来の文書処理を説明する画面表示例を示す図である。
【符号の説明】
【００２６】
１０：文書処置装置、  １１：画面、
１２：操作手段、  １３：ファイルメモリ、
１４：読出手段、  １５：サムネイル生成手段、
１６：カーソル判定手段、  １７：表示処理手段、
２３：ページＩＤ、  ２４：ページデータ、
３２：文書画像、  ３２ａ〜３２ｄ：ページ画像、
３３：カーソル、  ３５：サムネイル画像、
【図１】
2006085424.tif 000003
【図２】
2006085424.tif 000004
【図３】
2006085424.tif 000005
【図４】
2006085424.tif 000006
【図５】
2006085424.tif 000007
【図６】
2006085424.tif 000008
【図７】
2006085424.tif 000009